(57)【要約】【課題】閉蓋状態を確実に維持する一方で、開蓋のための操作力を低減することができるヒンジキャップを提案する。【解決手段】容器口部51に取り付けられるキャップ本体20と、キャップ本体20にヒンジ30を介して揺動自在に連結された蓋体40とを備えるヒンジキャップ1において、キャップ本体20に、容器口部51を覆う天壁21と、天壁21から起立する注出筒22と、注出筒22の外周で天壁21から起立する環状の上壁29と、上壁29の上端部外周にわたって設けられた係合凸部29aとを設け、蓋体40に、頂壁41と、頂壁41の周縁に垂設された外周壁42と、外周壁42の下端部内周面に、内周にわたって設けられ、キャップ本体20の上壁29の係合凸部29aに係合する係合凹部42aとを設け、キャップ本体20の上壁29には、ヒンジ30の反対側に、厚みを内周側から薄くしてなる薄壁部29uを設ける。【選択図】図１
2014108792.tif 000002
【特許請求の範囲】
【請求項１】
容器の口部に取り付けられるキャップ本体と、該キャップ本体にヒンジを介して揺動自在に連結された蓋体とを備えるヒンジキャップにおいて、
キャップ本体は、容器の口部を覆う天壁と、該天壁から起立する注出筒と、該注出筒の外周で天壁から起立する環状の上壁と、該上壁の上端部外周にわたって設けられた係合凸部とを有し、
蓋体は、頂壁と、該頂壁の周縁に垂設された外周壁と、該外周壁の下端部内周面に、内周にわたって設けられ、キャップ本体の上壁の係合凸部に係合する係合凹部とを有し、
キャップ本体の上壁は、ヒンジの反対側に、厚みを内周側から薄くしてなる薄壁部を有することを特徴とするヒンジキャップ。
【請求項２】
前記薄壁部は、ヒンジの反対側で半周以下にわたって設けられている、請求項１に記載のヒンジキャップ。
【請求項３】
キャップ本体の上壁の係合凸部と、蓋体の外周壁の係合凹部とは、双方のアンダーカット部を互いに面接触させることによって液密に当接する、請求項１又は２に記載のヒンジキャップ。
【発明の詳細な説明】
【技術分野】
【０００１】
本発明は、容器の口部に取り付けられるキャップ本体に蓋体がヒンジを介して連結されたヒンジキャップに関し、開蓋のための操作力を低減しようとするものである。
【背景技術】
【０００２】
従来、この種のヒンジキャップとして、例えば特許文献１に記載されるようなものが知られている。特許文献１では、キャップ本体が、容器の口部を覆う天壁と、この天壁から起立する注出筒と、この注出筒の外周で天壁から起立する環状の上壁と、この上壁の上端部外周にわたって設けられた係合凸部とを有している。また、蓋体は、頂壁と、この頂壁の周縁に垂設された外周壁と、この外周壁の内周面に、内周にわたって設けられ、キャップ本体の上壁の係合凸部に係合する係合凹部とを有している。さらに、蓋体の外周壁には、この外周壁の下端部外周におけるヒンジの反対側に摘み部が形成されている。
【０００３】
したがって、特許文献１のヒンジキャップでは、キャップ本体の係合凸部に蓋体の係合凹部を係合させることによって、キャップ本体の閉止状態が維持される一方で、蓋体の摘み部を摘んで蓋体を引き上げる方向に操作すれば、摘み部周辺の外周壁が外周側に撓んで、この撓んだ領域を起点として、係合凹部と係合凸部の係合が外れていく。
【先行技術文献】
【特許文献】
【０００４】
【特許文献１】特開２０１０−１２６２３６号公報
【発明の概要】
【発明が解決しようとする課題】
【０００５】
しかしながら、開蓋のための操作力をより低減したヒンジキャップが求められている。
本発明は、前記の現状に鑑み開発されたもので、閉蓋状態を確実に維持する一方で、開蓋のための操作力を低減することができるヒンジキャップを提案することを目的とする。
【課題を解決するための手段】
【０００６】
すなわち、本発明の要旨構成は以下のとおりである。
１．容器の口部に取り付けられるキャップ本体と、該キャップ本体にヒンジを介して揺動自在に連結された蓋体とを備えるヒンジキャップにおいて、
キャップ本体は、容器の口部を覆う天壁と、該天壁から起立する注出筒と、該注出筒の外周で天壁から起立する環状の上壁と、該上壁の上端部外周にわたって設けられた係合凸部とを有し、
蓋体は、頂壁と、該頂壁の周縁に垂設された外周壁と、該外周壁の下端部内周面に、内周にわたって設けられ、キャップ本体の上壁の係合凸部に係合する係合凹部とを有し、
キャップ本体の上壁は、ヒンジの反対側に、厚みを内周側から薄くしてなる薄壁部を有することを特徴とするヒンジキャップ。
【０００７】
２．前記薄壁部は、ヒンジの反対側で半周以下にわたって設けられている、前記１のヒンジキャップ。
【０００８】
３．キャップ本体の上壁の係合凸部と、蓋体の外周壁の係合凹部とは、双方のアンダーカット部を互いに面接触させることによって液密に当接する、前記１又は２のヒンジキャップ。
【発明の効果】
【０００９】
本発明によれば、開蓋する際の操作力が最初に作用するヒンジの反対側において、キャップ本体の上壁が薄壁部によって内周側に撓み易くなっているため、開蓋時に、この薄壁部を起点として係合凹部と係合凸部の係合を容易に外すことができる。したがって、開蓋する際の操作力を小さくすることができる。また、キャップ本体の上壁は、薄壁部以外の部分では内周側に撓み難くなっているため、閉蓋状態を確実に維持することができる。
【図面の簡単な説明】
【００１０】
【図１】本発明の一実施形態に係るヒンジキャップを容器の口部に装着して閉蓋した状態を示す縦断面図である。
【図２】本発明の一実施形態に係るヒンジキャップを開蓋した状態を示す平面図である。
【図３】本発明の一実施形態に係るヒンジキャップを容器の口部に装着して開蓋する際の状態を示す縦断面図である。
【発明を実施するための形態】
【００１１】
以下、図１〜３を参照して、本発明の一実施形態に係るヒンジキャップについて詳細に例示説明する。
図１に示すように、ヒンジキャップ１は、キャップ本体２０と、キャップ本体２０にヒンジ３０を介して揺動自在に連結された蓋体４０とからなる。キャップ本体２０は、容器５０の口部５１（以下、容器口部５１ともいう。）を覆う天壁２１を有する。
【００１２】
天壁２１には、注出筒２２が一体に起立し、その内側には、プルリング２３を一体に備える封止栓２４が設けられている。封止栓２４は、注出筒２２の内側に、プルリング２３の引き上げにより破断可能な薄肉部２５を介して一体に繋がる。これにより、プルリング２３を利用して封止栓２４を引き上げると、薄肉部２５が切断されることで、注出筒２２の内側には、容器５０の内側に通じる注出口が形成される。
【００１３】
天壁２１の外縁には、容器口部５１を取り囲む外筒２６が垂設されている。外筒２６の内周面には、容器口部５１の外周面に設けた嵌合凹部５１ａに嵌合する環状の嵌合凸部２６ａが形成されている。外筒２６の内周には、容器口部５１内に挿入される内筒２７が天壁２１から垂設されている。したがって、キャップ本体２０は、天壁２１、外筒２６と内筒２７で囲まれた凹部によって容器口部５１に取り付けられている。
【００１４】
外筒２６の外周には、外筒２６を取り囲む周壁２８が設けられている。周壁２８は、周壁２８の上端部外周の所定位置にヒンジ３０の一端３０ａを一体に連設されている。また、周壁２８は、周壁２８の下端部内周におけるヒンジ３０と反対側の位置で連結部２８ａを介して外筒２６の外周下端部に一体に連結されている。さらに、周壁２８の下端部内周における連結部２８ａを除く位置には、図２に示すように、軸線Ｏ周りに間隔を空けて破断可能な複数の連結片２８ｂ、２８ｂ’が配置されており、周壁２８は、これらの連結片２８ｂ、２８ｂ’を介して外筒２６に一体に連結されている。なお、この例では、図示したように、ヒンジに最も近い一対の連結片２８ｂ’の幅をその他の連結片２８ｂの幅よりも小さく形成している。前記のように連結部２８ａ及び複数の連結片２８ｂ、２８ｂ’によって周壁２８を外筒２６に連結した結果、周壁２８は、図１に示したように、外筒２６との間に隙間Ｓを生じさせるように配置される。
【００１５】
また、注出筒２２の外周には、天壁２１から起立する環状の上壁２９が一体に連設されている。上壁２９には、上壁２９の上端部外周にわたって係合凸部２９ａが形成されている。また、上壁２９には、上壁２９の厚みを内周側から薄くしてなる薄壁部２９ｕがヒンジの反対側に形成されている。ここで、ヒンジの反対側とは、ヒンジから最も遠い位置を中央として、中心角１８０°以下の円弧範囲（すなわち、半周以下）の領域を意味する。この例では、薄壁部２９ｕは、図２に示したように、ヒンジから最も遠い位置を中央として、軸線Ｏを中心とする中心角１６０°の円弧範囲にわたって形成されているが、これに限られず、ヒンジから最も遠い位置を中央として、好適には中心角６０〜１８０°の円弧範囲（すなわち、１／６周以上半周以下）、より好適には中心角９０〜１８０°の円弧範囲（すなわち、１／４周以上半周以下）、さらに好適には中心角１２０〜１８０°の円弧範囲（すなわち、１／３周以上半周以下）にわたって形成することができる。なお、薄壁部２９ｕは、上壁２９の下方から上端に向けて除々に薄肉にしても良い。
【００１６】
図１に示したように、蓋体４０は、頂壁４１と、この頂壁４１の周縁に垂設された外周壁４２とを有する。外周壁４２の下端部内周面には、キャップ本体２０の上壁２９の係合凸部２９ａに係合する係合凹部４２ａが内周にわたって形成されている。ここに、係合凹部４２ａと、キャップ本体２０の上壁２９の係合凸部２９ａとは、双方のアンダーカット部４２ｂ、２９ｂを互いに面接触させることによって液密に当接している。また、係合凹部４２ａの上側には、キャップ本体２０の上壁２９の上端面２９ｃに当接する環状段部４２ｃが形成されている。環状段部４２ｃの幅は、キャップ本体２０の上壁２９の上端面２９ｃ（薄壁部２０ｕを除く部分）の幅と等しくなっている。また、外周壁４２の下端部外周の所定位置には、ヒンジ３０の他端３０ｂが一体に連設されている。外周壁４２の外周面には、開蓋する際に指を掛けるための指掛け部４２ｄがヒンジ３０の反対側に凹設されている。また、頂壁４１の下面には、キャップ本体２０の注出筒２２の内周面に液密に当接する密封リング４３が一体に垂設されている。したがって、閉蓋状態では、キャップ本体２０の天壁２１及び注出筒２２並びに蓋体４０の頂壁４１及び密封リング４３によって囲まれる空間Ａが密封される。
【００１７】
かかる構成によれば、加熱された内容物を容器５０に充填した後、ヒンジキャップ１を容器５０に打栓する内容物の加熱充填工程においては、打栓の後に、加熱された内容物の熱により空間Ａの内圧が上昇するが、蓋体４０の外周壁４２の係合凹部４２ａがキャップ本体２０の上壁２９の係合凸部２９ａに係合しているため、内圧上昇による蓋体４０の開放を確実に防止することができる。ここに、キャップ本体２０の上壁２９は、上壁２９が内周側に撓むことを容易にすることで係合凹部４２ａと係合凸部２９ａの係合力を弱める薄壁部２９ｕを有しているが、この薄壁部２９ｕはヒンジ３０の反対側のみに形成されおり、薄壁部２９ｕ以外の部分では内周側に撓み難くなっているため、係合凹部４２ａと係合凸部２９ａの係合力は十分に維持されているのである。
【００１８】
また、内容物の加熱充填に次いで、容器５０及びヒンジキャップ１の外側にシャワー水を散布して容器全体の冷却を行う冷却工程においては、蓋体４０の外周壁４２の係合凹部４２ａと、キャップ本体２０の上壁２９の係合凸部２９ａとが、双方のアンダーカット部４２ｂ、２９ｂを互いに面接触させることによって液密に当接しているため、外周壁４２と上壁２９の間からシャワー水が浸入することを確実に防止することができる。
【００１９】
また、ユーザーがヒンジキャップ１の蓋体４０を開放させる際には、指掛け部４２ｄから蓋体４０を持ち上げると、図３に示すように、ヒンジ３０の反対側においてキャップ本体２０の上壁２９の薄壁部２９ｕが内周側に撓み、この撓んだ部分を起点として、上壁２９の係合凸部２９ａと蓋体４０の外周壁４２の係合凹部４２ａとの係合が解除されていく。このように、開蓋する際の操作力が最初に作用するヒンジ３０の反対側において、キャップ本体２０の上壁２９が薄壁部２９ｕによって内周側に撓み易くなっているため、開蓋時に、この薄壁部２９ｕを起点として係合凹部４２ａと係合凸部２９ａの係合を容易に外すことができる。したがって、開蓋する際の操作力を小さくすることができる。
【００２０】
また、ユーザーがヒンジキャップ１の蓋体４０を閉止させた後には、図１に示したように、蓋体４０の外周壁４２の係合凹部４２ａがキャップ本体２０の上壁２９の係合凸部２９ａに係合しているため、閉蓋状態を確実に維持することができる。ここに、キャップ本体２０の上壁２９は薄壁部２９ｕを有しているが、この薄壁部２９ｕはヒンジ３０の反対側のみに形成されおり、上壁２９は薄壁部２９ｕ以外の部分では内周側に撓み難くなっているため、係合凹部４２ａと係合凸部２９ａの係合力が十分に維持されていることは、内容物の加熱充填工程について前述したところと同様である。
【００２１】
また、分別廃棄などのために、キャップ本体２０を容器口部５１から取り外す際には、蓋体４０を開いて引き上げることで、図２に示した複数の連結片２８ｂ’、２８ｂが順次切断された後、外筒２６は、連結部２８ａを起点に引き上げられることになる。この際、最初に切断される連結片２８ｂ’の幅がその他の連結片２８ｂの幅よりも小さく形成されているため、複数の連結片２８ｂ’、２８ｂの切断を開始する際に必要となる引き上げ力が低減されている。また、周壁２８が連結部２８ａの周辺で捲り上げられることで、容器口部５１からの取り外しが容易になる。
【００２２】
上述したところは、本発明の一実施形態を示したにすぎず、特許請求の範囲において、種々の変更を加えることができる。例えば、キャップ本体の周壁は連結部と複数の連結片とを介して外筒に連設するものとして説明したが、必ずしも周壁を設ける必要はなく、キャップ本体２０の容器口部からの取り外しを容易にするための別の構造を用いることもできる。なお、周壁を設けない場合には、外筒にヒンジの一端を直接連設することができる。また、外筒は嵌合凸部を容器口部の嵌合凹部に嵌合させて容器口部に取り付けるものとして説明したが、その他の取り付け構造とすることもでき、例えば、容器口部にねじ止めする構造とすることもできる。さらに、キャップ本体として、プルトップ式のものを用いて説明したが、開栓の形態はこれに限定されるものではない。
【産業上の利用可能性】
【００２３】
本発明によれば、閉蓋状態を確実に維持する一方で、開蓋のための操作力を低減することができるヒンジキャップを供給することができる。
【符号の説明】
【００２４】
１  ヒンジキャップ
２０  キャップ本体
２１  天壁
２２  注出筒
２３  プルリング
２４  封止栓
２５  薄肉部
２６  外筒
２７  内筒
２８  周壁
２８ａ  連結部
２８ｂ、２８ｂ’  連結片
２９  上壁
２９ａ  係合凸部
２９ｂ  アンダーカット部
２９ｃ  上端面
２９ｕ  薄壁部
３０  ヒンジ
３０ａ  一端
３０ｂ  他端
４０  蓋体
４１  頂壁
４２  外周壁
４２ａ  係合凹部
４２ｂ  アンダーカット部
４２ｃ  環状段部
４２ｄ  指掛け部
４３  密封リング
５０  容器
５１  容器口部
Ｏ  軸線
Ａ  空間
Ｓ  隙間
【図１】
2014108792.tif 000003
【図２】
2014108792.tif 000004
【図３】
2014108792.tif 000005